(57)【要約】      （修正有）【課題】寝た被介護人だけでなく、広い範囲の人が家庭などで水や熱エネルギーを無駄にすることなく安全且つ容易に入浴するための入浴装置を実現する。【解決手段】ベース2に固定した昇降ガイド3に沿って昇降可能な座板4の下に水袋5を設け、その中に給水と排水を切替可能なポンプ7に設けた水袋側配管8aと浴槽側配管8bを通して浴槽1から温水を給水し座板をストッパー3a位置まで上昇させた後、利用者が座板の上に座り、ポンプを操作して水袋内の温水を排出して座板と共に沈み湯に浸る事が出きる。浴槽から出る時は、送水ポンプを操作して水槽内から水袋内に温水を入れ座板をストッパーまで上昇させて浴槽の外に出る。【選択図】  図２
2005342448.tif 000002
【特許請求の範囲】
【請求項１】
浴槽内で入浴のために人が座る硬い座板と、その座板を浴槽内の温水の注入により上昇したり、排出により下降させる水袋及び座板が傾く等不安定にならないように上下にガイドし浴槽の底に置いたベースに固定した昇降ガイドを備え、又座板が上昇した時一定の高さに止めるストッパー、及び座板に乗った人が姿勢を安定させるための手摺りを備えたことを特徴とする入浴装置。
【請求項２】
水袋に温水を入れて座板を上昇させ、人がその上に座って温水を排出して浴槽内の温水の中に入って入浴し、浴槽から出る時は再び温水を水袋に入れて上昇させる入浴装置の使用方法。
【発明の詳細な説明】
【技術分野】
【０００１】  本発明は、老齢者、障害者、幼児等足の弱い人が自力で浴槽内の高低差に妨げられないで容易に入浴するための装置に関するものである。
【背景技術】
【０００２】  従来の入浴装置には、介護用として横に寝た被介護人を、介護人が可とう性空気袋に乗せ、空気を出し入れして浴槽内にて昇降し入浴させるものがある（例えば、特許文献１参照。）。【０００３】  以下、図４により従来の入浴装置について説明する。図において、浴槽１１の中に被介護者２３を乗せるベッド１３とそれを支える可とう性空気袋１２を備え、その空気袋１２は空気供給手段１４、空気注入管１５，三方切替弁１６，共通管１７及び空気排出管１８より構成された給排気装置により、空気を充填したり排出したりできる。また浴槽１１は給湯管１９から温水２２が供給可能でさらに、底に設けた密栓２０を開くことにより排水管２１を通して温水２２を排出出来る。この装置を利用するには、まず、温水２２のほとんど入っていない浴槽１１の密栓２０を閉じて空気供給手段１４を作動し、３方切替弁１６を回動して共通管１７から空気袋１２に空気を注入しベッド１３を上昇させる。そこで、介護者の手助けにより被介護者２３をベッド１３の上に移動させ給湯管１９を操作して、浴槽１１に温水２２を入れる。この状態で、３方切替弁１６を回動して共通管１７、空気排出管１８を通して空気袋１２の空気を抜くとベッド１３と共に被介護者２３は下降して浴槽の底に座ることが出来る。そこで、給湯管１９を開いて浴槽に温水２２を入れて入浴が可能になる。入浴が終わったら再度空気供給手段１４を作動させると共に３方切替弁１６を回動させ、共通管１７から空気袋１２に空気を注入すると共に密栓２０を開いて温水２２を排出管２１から排出する。空気袋１２が膨らんでベッド１３が上昇したら被介護者２３を浴槽１１の外に移動する。
【特許文献１】特開２００３−１７５０８８号公報
【発明の開示】
【発明が解決しようとする課題】
【０００３】  以上に述べたように従来の入浴装置は横に寝た被介護人を介護人が入浴させることを主な目的としており、普通に生活しているが、入浴する時に浴槽の縁と底の段差が障害となる人、例えば足に障害を持った者、老齢者、幼児等足の弱い人が家で日常利用する場合には適していない。つまり、家庭内で家族が共通で浴槽を利用するような場合は一人一人浴槽の温水を入れ替えたりしないことが多い、また、浴槽に温水の浄化装置を有する場合はなおさらである。従来の装置では、一人入浴する毎に浴槽の温水をほとんど排出する必要があり水や熱エネルギーの損失が大きい、例え再利用する場合でも大きな貯水槽と温水ポンプが必要である。
また、人が乗るベッドは大きな空気袋の上にあり上記のような自力で利用しようとする人は足からその上に乗ることになる。しかしその場合弾力性のある空気袋は変形により傾いたりするので人が転倒する可能性があり危険である。【０００４】  本発明は従来の装置のように、横に寝た被介護人だけでなく、上記に述べたようなより広い範囲の人が家庭などで水や熱エネルギーを無駄にすることなく安全且つ容易に入浴するための入浴装置を実現することを目的とするものである。
【課題を解決するための手段】
【０００５】  本発明は上記目的を達成するために、人が乗るための座板がそれを支える水袋に浴槽内の温水を給排水することにより昇降し、その時に揺れないように昇降ガイドでしっかりガイドし又上昇位置にある時に人が乗降しても高さが変化しないように座板を一定の高さに停止させるようにストッパーをもうけた。さらに、利用者が座板の上で体を安定出来るように手摺りを設けたものである。なお、座板は水袋の温水を排出した状態では自重で沈むような重量を持ち利用者が誤って乗らないようしてある。
【発明の効果】
【０００６】  上述したように本発明の入浴装置は横たわった被介護人を介護人が入浴させる場合よりも軽症の自力で入浴できるが浴槽の縁と底の段差が障害になる人々が水や熱エネルギーを無駄にすることなく自宅などで安全且つ容易に利用できるという効果を発揮する。
【発明を実施するための最良の形態】
【０００７】  以下、本発明の実施形態を図１〜図３に基ずいて説明する。【０００８】  図において、１は浴槽で中に温水が入っている。本入浴装置は送水ポンプ７と袋側配管８ａ及び浴槽側配管８ｂ及び手摺り６等の一部を除いて温水に浸っているのが望ましい。【０００９】  ４は硬い座板で下部に設けた凹部と浴槽の底に設置したベース２の間に設けた可とう膜製の水袋５を持つ。なお水袋は可とう膜の袋では無く、座板の凹部を塞ぐように可とう膜を取りつけた構造でもよい。【００１０】  ３は昇降ガイドで座板４を上下方向に貫通し浴槽の底に置いたベース２に強固に固定され、中間部分に座板４上昇時の高さを規定するストッパー３ａ及び上部には手摺り６を備える。【００１１】  ７は送水ポンプで電気モーターにより駆動されスイッチ（図示せず）の操作により起動、停止及び給水と排水の方向を逆にすることが出来る。又、圧力計（図示せず）により水袋内の温水の圧力を知ることができる。８ａは袋側配管で送水ポンプと水袋を接ぎ、８ｂは浴槽側配管で送水ポンプと浴槽内を結ぶ。これらの構成により送水ポンプを介して浴槽内の温水を水袋に入れたり、反対に水袋内の温水を浴槽内に出したりする。それにより、座板とそれに乗った人間を浴槽内で昇降することが出来る。【００１２】  以下、上記構成の動作を説明する。この装置を使用する時は浴槽１内に温水を入れた後、送水ポンプ７を駆動し浴槽内の温水を水袋５に給水して座板４を上昇させストッパー３ａで停止させる。その時水袋内の圧力が規定値に達したことを圧力計で確認して送水ポンプ７の駆動を止める。そこで利用者が手摺り６で体を支えながら座板４の上に座り、送水ポンプ７の給排水の方向を逆にして起動する。すると、水袋内の温水は浴槽内に排出され座板４が利用者と共に沈んで湯に浸ることが出来る。そこで、給水ポンプ７を停止する。浴槽１から出る時は逆の動作を行なう。つまり、送水ポンプ７の給排水の方向を元に戻し起動する。その結果水袋内に温水が入り座板４を上昇させる。座板４がストッパー３ａで止まり圧力が規定値になってから送水ポンプ７を停止し、手摺り６で体を支えながら浴槽１の外にでる。以上のように、本実施形態によれば利用者は安全且つ容易に入浴することが出きる。
【図面の簡単な説明】
【００１３】
【図１】本発明の実施形態を示す入浴装置の平面図
【図２】図１のＡ−Ａ線断面図で水袋に温水を入れた状態を示す。
【図３】図１のＡ−Ａ線断面図で水袋から温水を抜いた状態を示す。
【図４】従来の入浴装置の縦断面図
【符号の説明】
【００１４】１    浴槽
２    ベース
３    昇降ガイド
３ａ  ストッパー
４    座板
５    水袋
６    手摺り
７    送水ポンプ
８ａ  袋側配管
８ｂ  浴槽側配管
【図１】
2005342448.tif 000003
【図２】
2005342448.tif 000004
【図３】
2005342448.tif 000005
【図４】
2005342448.tif 000006